(57)【特許請求の範囲】
【請求項１】
車両用計器の正面側に取り付けられ、光を透過させて表示部を構成する透光領域と光を透過させない遮光領域とに区画された表示パネルであって、
透光性を有する基板を備え、
上記基板正面側の上記遮光領域には、端部が上記透光領域と上記遮光領域との境界より該遮光領域側に位置する隠蔽層からなる第１印刷層が設けられ、
上記第１印刷層正面側には、端部が上記透光領域と上記遮光領域との境界に位置して上記第１印刷層の端部から上記透光領域側に延出する延出部を有する意匠付与層からなる第２印刷層が設けられ、
最表面には、ヘアライン模様が少なくとも上記延出部に対応する領域に設けられていることを特徴とする車両用計器の表示パネル。
【請求項２】
請求項１に記載の車両用計器の表示パネルにおいて、
上記第１印刷層と第２印刷層との間には、スモーク印刷層が可視光線の透過率を所定値に抑えた色で設けられ、該スモーク印刷層は、少なくとも上記延出部に対応する領域に及んでいることを特徴とする車両用計器の表示パネル。
【請求項３】
請求項１又は２に記載の車両用計器の表示パネルにおいて、
上記延出部は、上記透光領域と上記遮光領域との境界に向かうにつれて次第に上記第１印刷層側に位置するように傾斜していることを特徴とする車両用計器の表示パネル。
【請求項４】
請求項１から３のいずれか１つに記載の車両用計器の表示パネルにおいて、
少なくとも上記第２印刷層の正面側には、複数の透明ビーズが内包された透明の保護印刷層が設けられていることを特徴とする車両用計器の表示パネル。
【発明の詳細な説明】
【技術分野】
【０００１】
本発明は、車両の各種状態を表示する車両用計器の表示パネルに関する。
【背景技術】
【０００２】
従来より、車両の運転席前方に設けられる車両用計器の表示パネルは、光を透過させて数字、文字及び目盛等を表示させる表示部を構成する透光領域と、光を遮光して背景となる遮光領域とに区画されている。一般的に、上記透光領域は、透光性を有する基板の板面に印刷を施さない領域、又は上記基板の板面に透光性を有する色で設けた印刷層の領域で構成される一方、上記遮光領域は、上記基板の板面に遮光性を有する例えば黒色で設けた印刷層の領域で構成されている。
【０００３】
ところで、近年、上記遮光領域を黒以外の色の印刷層で構成して表示パネルの意匠性を高めることがあり、例えば、特許文献１では、基板正面側の遮光領域に意匠付与層をメタリック色で設けるとともに、上記基板背面側の遮光領域に隠蔽層を黒色で設けた表示パネルが開示されている。
【０００４】
また、特許文献２では、表示パネルに金属の質感を持たせるために、基板正面側の最表面にヘアライン模様を設けた表示パネルが開示されている。
【先行技術文献】
【特許文献】
【０００５】
【特許文献１】特開２０１１−１８０４７５号公報（段落００１２〜００１６欄、図２）
【特許文献２】特開２００５−３２９５８７号公報（段落００２８〜００３０欄、図２〜図４）
【発明の概要】
【発明が解決しようとする課題】
【０００６】
ところで、表示パネルの意匠性を高めるために、遮光領域の一部のみを特許文献１の如きメタリック色といった意匠付与層で構成するとともに、最表面に特許文献２の如きヘアライン模様を設けることが考えられる。
【０００７】
しかし、特許文献１では、隠蔽層が基板の背面側に形成されており、意匠付与層を遮光領域の一部にのみ形成して意匠付与層の無い遮光領域を表示パネルの正面側から見ると、上記隠蔽層が基板を介して見えるので、基板の厚みによって隠蔽層が不鮮明となってしまい、見栄えが悪い。
【０００８】
これを回避するために、基板の正面側に隠蔽層を設け、該隠蔽層の正面側に意匠付与層を設けることが考えられる。
【０００９】
しかし、基板正面側に隠蔽層を設けると、隠蔽層の厚みと意匠付与層の厚みとで透光領域と遮光領域との境界における印刷層による段差が大きくなってしまう。したがって、基板正面側に隠蔽層と意匠付与層とを重ねて設けた状態で金属の質感を持たせるために特許文献２の如きヘアライン模様を最表面に設けると、上記段差によって透光領域と遮光領域との境界部分でヘアライン模様が歪んでしまい、表示パネルが不良品となって歩留まりが悪くなってしまう。
【００１０】
本発明は、斯かる点に鑑みてなされたものであり、その目的とするところは、車両用計器における表示パネルの意匠性を高め、しかも、表示パネルの製造時に歩留まりを良くすることにある。
【課題を解決するための手段】
【００１１】
上記の目的を達成するために、本発明は、透光領域と遮光領域との境界周辺における印刷層の形成の仕方に工夫を凝らしたことを特徴とする。
【００１２】
具体的には、車両用計器の正面側に取り付けられ、光を透過させて表示部を構成する透光領域と光を透過させない遮光領域とに区画された表示パネルにおいて、次のような解決手段を講じた。
【００１３】
すなわち、第１の発明では、透光性を有する基板を備え、上記基板正面側の上記遮光領域には、端部が上記透光領域と上記遮光領域との境界より該遮光領域側に位置する隠蔽層からなる第１印刷層が設けられ、上記第１印刷層正面側には、端部が上記透光領域と上記遮光領域との境界に位置して上記第１印刷層の端部から上記透光領域側に延出する延出部を有する意匠付与層からなる第２印刷層が設けられ、最表面には、ヘアライン模様が少なくとも上記延出部に対応する領域に設けられていることを特徴とする。
【００１４】
第２の発明では、第１の発明において、上記第１印刷層と第２印刷層との間には、スモーク印刷層が可視光線の透過率を所定値に抑えた色で設けられ、該スモーク印刷層は、少なくとも上記延出部に対応する領域に及んでいることを特徴とする。
【００１５】
第３の発明では、第１又は第２の発明において、上記延出部は、上記透光領域と上記遮光領域との境界に向かうにつれて次第に上記第１印刷層側に位置するように傾斜していることを特徴とする。
【００１６】
第４の発明では、第１から第３のいずれか１つの発明において、少なくとも上記第２印刷層の正面側には、複数の透明ビーズが内包された透明の保護印刷層が設けられていることを特徴とする。
【発明の効果】
【００１７】
第１の発明では、第１及び第２印刷層を基板正面側に形成しているので、表示パネルを正面側から見るときに第１及び第２印刷層が鮮明となり、見栄えが良い。また、透光領域と遮光領域との境界において、第２印刷層の延出部が第１印刷層の端部を覆ってなだらかに傾くので、透光領域と遮光領域との境界で印刷層の段差変化が小さくなる。したがって、第１及び第２印刷層を基板の正面側に積層した状態で最表面にヘアライン模様を印刷しても、ヘアライン模様が第１及び第２印刷層の段差部分で歪まなくなり、表示パネルの不良品の発生を抑えて歩留まりを良くすることができる。
【００１８】
第２の発明では、透光領域と遮光領域との境界周辺において、スモーク印刷層が第１印刷層の端部を覆うように設けられるので、透光領域と遮光領域との境界周辺におけるスモーク印刷層がなだらかに傾き、それに伴って、透光領域と遮光領域との境界周辺における第２印刷層の傾きがさらになだらかになる。したがって、スモーク印刷層により、表示パネルが非点灯時の際に透光領域を運転者から視認できないようにでき、しかも、このスモーク印刷層を利用して、第１及び第２印刷層を基板の正面側に設けた状態で最表面にヘアライン模様を印刷しても、ヘアライン模様が第１及び第２印刷層の段差部分で歪まなくなり、表示パネルの不良品の発生を確実に抑えて歩留まりを良くすることができる。
【図面の簡単な説明】
【００１９】
【図１】本発明の実施形態に係る表示パネルを備えた車両用計器の正面図である。
【図２】本発明の実施形態に係る表示パネルの速度メーター部分の拡大正面図である。
【図３】図２のＡ−Ａ線断面図である。
【図４】図２のＢ−Ｂ線断面図である。
【発明を実施するための形態】
【００２０】
以下、本発明の実施形態を図面に基づいて詳細に説明する。尚、以下の好ましい実施形態の説明は、本質的に例示に過ぎない。
【００２１】
図１は、本発明の実施形態に係る表示パネル１を備えた車両用計器１０を示す。該車両用計器１０は、運転席前方に配置されたインストルメントパネル（図示せず）内に運転者が車両の各種状態を把握できるように収められ、その中央には、車両の速度を表示する速度メーター１０ａが配置され、該速度メーター１０ａを挟んで車幅方向左側には、エンジンの回転数を表示するタコメーター１０ｂが配置され、車幅方向右側には、車両の速度及びエンジンの回転数以外の車両の各種状態を表示する略矩形状の液晶パネル１０ｃが配置されている。
【００２２】
上記表示パネル１は、背面側からＬＥＤ等の光を透過させることにより上記速度メーター１０ａ及びタコメーター１０ｂの数字、文字及び目盛等を表示させるものであり、光を透過させて上記数字等を表示させる表示部を構成する透光領域２と、光を遮光して背景部となる遮光領域３とに区画され、上記車両用計器１０の正面側に取り付けられている。
【００２３】
上記表示パネル１の速度メーター１０ａは、図２に示すように、正面視で円形をなし、外周部分に沿う外側デザイン部１１と、該外側デザイン部１１内方の内側デザイン部１２とからなっている。
【００２４】
上記外側デザイン部１１は、当該外側デザイン部１１の上部から中程下寄りまでの部分に円弧状に所定の間隔をあけて表示される目盛線部１１ａと、該各目盛線部１１ａ以外の環状背景部１１ｂとからなり、上記各目盛線部１１ａが上記透光領域２の一部を、上記環状背景部１１ｂが上記遮光領域３の一部を構成している。
【００２５】
一方、上記内側デザイン部１２は、上記各目盛線部１１ａに対応するように円弧状に所定の間隔をあけて表示される複数の数字部１２ａと、中央上部に表示される速度単位”ｍｐｈ”の文字部１２ｂと、中央下部に表示される方向指示等の複数の図形部１２ｃと、上記数字部１２ａ、文字部１２ｂ及び図形部１２ｃ以外の円形背景部１２ｄとからなり、上記数字部１２ａ、文字部１２ｂ及び図形部１２ｃが上記透光領域２の一部を、上記円形背景部１２ｄが上記遮光領域３の一部を構成している。
【００２６】
上記表示パネル１は、図３又は図４に示すように、透光性を有する透明樹脂製の基板４を備え、該基板４正面側の上記遮光領域３には、厚みが略９μｍ程度の黒色の隠蔽層からなる第１印刷層５が設けられ、その端部が上記透光領域２と上記遮光領域３との境界より該遮光領域３側に位置している。
【００２７】
尚、図３及び図４では、印刷部分の厚みを誇張して記載している。
【００２８】
また、上記第１印刷層５正面側の上記円形背景部１２ｄに対応する領域には、厚みが略９μｍ程度のメタリック色の意匠付与層からなる第２印刷層６が設けられている。
【００２９】
該第２印刷層６は、上記第１印刷層５の端部から上記透光領域２側に延出する延出部６ａを有し、該延出部６ａの延出端が上記透光領域２と上記遮光領域３との境界に位置している。
【００３０】
上記延出部６ａは、上記透光領域２と上記遮光領域３との境界に向かうにつれて次第に第１印刷層５側に位置するように傾斜している。
【００３１】
さらに、上記第１印刷層５と第２印刷層６との間の上記各図形部１２ｃを含む領域５０（図２参照）には、図３に示すように、上記第２印刷層６と同系で、且つ、可視光線の透過率を所定値に抑えたメタリック色で厚みが略９μｍ程度のスモーク印刷層７が設けられ、該スモーク印刷層７は、上記延出部６ａに対応する領域に及んでいる。
【００３２】
尚、上記スモーク印刷層７は、少なくとも上記延出部６ａに対応する領域に及んでいればよい。
【００３３】
それに加えて、上記基板４正面側と、該基板４に設けられた上記第１印刷層５、第２印刷層６及びスモーク印刷層７の正面側には、透明の保護印刷層８が設けられ、該保護印刷層８内部には、外光の反射を抑制するために複数の透明ビーズ（図示せず）が内包されている。
【００３４】
さらに、上記表示パネル１の上記内側デザイン部１２に対応する部分の最表面には、高さが略９μｍ程度の透明のヘアライン模様９が設けられ、該ヘアライン模様９は、図２に示すように、上記内側デザイン部１２と同心の環状で、且つ、径方向に所定の間隔をあけて複数形成されている。
【００３５】
以上より、本発明の実施形態によれば、第１及び第２印刷層５，６を基板４正面側に形成しているので、表示パネル１を正面側から見るときに第１及び第２印刷層５，６が鮮明となり、見栄えが良い。また、透光領域２と遮光領域３との境界において、第２印刷層６の延出部６ａが第１印刷層５の端部を覆ってなだらかに傾くので、透光領域２と遮光領域３との境界で印刷層の段差変化が小さくなる。したがって、第１及び第２印刷層５，６を基板４の正面側に積層した状態で最表層にヘアライン模様９を印刷しても、ヘアライン模様９が第１及び第２印刷層５，６の段差部分で歪まなくなり、表示パネル１の不良品の発生を抑えて歩留まりを良くすることができる。
【００３６】
また、透光領域２と遮光領域３との境界周辺において、スモーク印刷層７が第１印刷層５の端部を覆うように設けられるので、透光領域２と遮光領域３との境界周辺におけるスモーク印刷層７がなだらかに傾き、それに伴って、透光領域２と遮光領域３との境界周辺における第２印刷層６の傾きがさらになだらかになる。したがって、スモーク印刷層７により、表示パネル１が非点灯時の際に透光領域２を運転者から視認できないようにでき、しかも、このスモーク印刷層７を利用して、第１及び第２印刷層５，６を基板４の正面側に設けた状態で最表面にヘアライン模様９を印刷しても、ヘアライン模様９が第１及び第２印刷層５，６の段差部分で歪まなくなり、表示パネル１の不良品の発生を確実に抑えて歩留まりを良くすることができる。
【００３７】
尚、本発明の実施形態では、第２印刷層６をメタリック色で設けているが、その他の色で設けてもよく、例えば、青色や茶色であってもよい。
【００３８】
また、本発明の実施形態では、スモーク印刷層７を第２印刷層６と同系のメタリック色で設けているが、可視光線の透過率を所定値に抑えて表示パネル１が非点灯時の際に透光領域２を運転者から視認できないようにできるのであれば、何色であっても構わない。
【００３９】
また、本発明の実施形態では、表示パネル１の速度メーター１０ａに対応する部分の構成について説明したが、表示パネル１のタコメーター１０ｂに対応する部分にも本発明の構成を適用することができる。
【産業上の利用可能性】
【００４０】
本発明は、車両の各種状態を表示する車両用計器の表示パネルに適している。
【符号の説明】
【００４１】
１        表示パネル
２        透光領域
３        遮光領域
４        基板
５        第１印刷層
６        第２印刷層
６ａ        延出部
７        スモーク印刷層
９        ヘアライン模様
１０        車両用計器
【図１】
0005940796.tif 000002
【図２】
0005940796.tif 000003
【図３】
0005940796.tif 000004
【図４】
0005940796.tif 000005